(57)【要約】      （修正有）【課題】乾燥粉末状の薬剤の吸入量を計量する乾燥粉末薬剤吸入器を提供する。【解決手段】吸入器１００は少なくとも１つの入口および出口を備え、入口と出口との間の連絡部が、混合脱凝集チャンバと、入口とチャンバとの間の少なくとも２つの投薬連絡部を備える。吸入器は、入口とチャンバとの間に少なくとも１回用量の薬剤を配置して、連絡部を通して出口において吸入する際に少なくとも１回用量を送達できるようにする投薬機構１０４を備える。吸入器はロック機構２００を備えてよく、投薬機構を用量収集位置から用量投与位置に移動する際にロック機構がロック解除位置からロック位置に移動されて、ロック機構をリセットする前にさらに用量を計量することが防止される。吸入器は投薬表示部または釣り合いおもり機構を備えてよい。【選択図】図１ａ
2020163219.tif 000002
【特許請求の範囲】
【請求項１】
乾燥粉末状の薬剤の吸入量を計量する乾燥粉末薬剤吸入器（１００）であって、
少なくとも１つの入口（１０１）および少なくとも１つの出口（１０２）であって、前記少なくとも１つの入口（１０１）と前記少なくとも１つの出口（１０２）との間の連絡部が、混合脱凝集チャンバ（１０６）、および前記少なくとも１つの入口（１０１）と前記チャンバ（１０６）との間の少なくとも２つの投薬連絡部（１０７）を少なくとも備える、前記少なくとも１つの入口（１０１）および前記少なくとも１つの出口（１０２）と、
前記入口（１０１）と前記チャンバ（１０６）との間に少なくとも１回用量の薬剤を配置して、前記連絡部（１０７）を通して前記出口（１０２）において吸入する際に前記少なくとも１回用量を送達できるようにする、投薬機構（１０４、１０８）と、
ロック機構（２００）であって、前記投薬機構（１０４、１０８）を用量収集位置から用量投与位置に移動する際に前記ロック機構（２００）がロック解除位置からロック位置に移動されて、前記ロック機構をリセットする前にさらに用量を計量することが防止される、前記ロック機構（２００）と、
を備える、乾燥粉末薬剤吸入器（１００）。
【請求項２】
前記ロック機構（２００）は、ロック時に前記ロック機構（２００）が前記投薬機構（１０４、１０８）の回転を制限するように、前記投薬機構（１０４、１０８）と関連付けて配置される、請求項１に記載の乾燥粉末吸入器。
【請求項３】
前記ロック機構（２００）はロックディスク（２０１）およびラッチ（２０２）を備え、前記ラッチ（２０２）は、ロック位置にある前記ラッチ（２０２）の突起（２０３）が、前記ロックディスク（２０１）の平面を貫通し、前記突起（２０３）が前記ロックディスク（２０１）の少なくとも１つの部材に当接するように位置合わせされるように、前記ロックディスク（２０１）と関連付けられる、請求項１または２のいずれか一項に記載の乾燥粉末薬剤吸入器（１００）。
【請求項４】
前記ラッチ（２０２）はタブ（２０５）を備えることができ、前記タブ（２０５）は、前記タブ（２０５）に対する力が前記ラッチ（２０２）をロック位置からロック解除位置に移動するように配置される、請求項３に記載の乾燥粉末薬剤吸入器（１００）。
【請求項５】
前記ロックディスク（２０１）と前記投薬機構（１０４、１０８）とは平行であり、位置合わせされた回転軸を有する、請求項３または請求項４に記載の乾燥粉末吸入器（１００）。
【請求項６】
前記ラッチ（２０２）は、前記乾燥粉末吸入器（１００）における吸入が前記ラッチ（２０２）をロック位置からロック解除位置に移動するように配置される、請求項３〜５のいずれか一項に記載の乾燥粉末薬剤吸入器（１００）。
【請求項７】
前記乾燥粉末薬剤吸入器はさらに、上側近位貯蔵ハウジング（１０３）を備え、前記ラッチ（２０２）は、前記上側近位貯蔵ハウジング（１０３）上の空気入口（１１０）に位置決めされる、請求項６に記載の乾燥粉末薬剤吸入器（１００）。
【請求項８】
前記空気出口（１０２）における吸入が、前記乾燥粉末吸入器（１００）の外側よりも低い圧力の領域を前記乾燥粉末吸入器（１００）の内側に形成し、前記圧力差は、前記ラッチ（２０２）をロック位置からロック解除位置に移動させるような力を、前記空気入口（１１０）において前記ラッチ（２０２）に対して生成する、請求項６または７に記載の乾燥粉末薬剤吸入器（１００）。
【請求項９】
前記ロックディスク（２０１）は、前記ロックディスク（２０１）の周囲からある角度で延びる案内部材（２１０）を備え、前記案内部材（２１０）は、前記ロックディスク（２０１）によって形成される平面に平行でありそれと位置合わせされる平面内を延び、前記案内部材（２１０）は、第２の端部（２１２）よりも第１の端部（２１１）において前記ロックディスク（２０１）の中心に近くなるように配置される、請求項３〜８のいずれか一項に記載の乾燥粉末薬剤吸入器（１００）。
【請求項１０】
乾燥粉末状の薬剤の吸入量を計量する乾燥粉末薬剤吸入器（１００）であって、
少なくとも１つの入口（１０１）および少なくとも１つの出口（１０２）であって、前記少なくとも１つの入口（１０１）と前記少なくとも１つの出口（１０２）との間の連絡部が、混合脱凝集チャンバ（１０６）、および前記少なくとも１つの入口（１０１）と前記チャンバ（１０６）との間の少なくとも１つの投薬連絡部（１０７）を少なくとも備える、前記少なくとも１つの入口（１０１）および前記少なくとも１つの出口（１０２）と、
前記入口（１０１）と前記チャンバ（１０６）との間に少なくとも１回用量の薬剤を配置して、前記連絡部（１０７）を通して前記出口（１０２）において吸入する際に前記少なくとも１回用量を送達できるようにする、投薬機構（１０４、１０８）と、
投薬表示部（３００）であって、前記投薬機構（１０４、１０８）を用量収集位置から用量投与位置に移動する際に、用量が吸入される準備ができていることを表示する、前記投薬表示部（３００）と、
を備え、
前記投薬表示部（３００）はさらに、２つの状態、用量が吸入される準備ができていることを表示する表示状態と、吸入される準備ができた用量がないことを表示する非表示状態とを有するように配置される視覚表示部（３０２）を備え、
前記視覚表示部（３０２）は回転ディスク（３０１）と関連付けて配置され、前記回転ディスク（３０１）は、用量ディスク（１０４）またはツイスタ（１０５）の回転が、前記回転ディスク（３０１）の回転を引き起こし、そうすることで、前記視覚表示部（３０２）が非表示位置から表示位置に移動されるように、前記用量ディスク（１０４）および前記ツイスタ（１０５）と関連付けられる、
乾燥粉末薬剤吸入器（１００）。
【請求項１１】
前記視覚表示部（３０２）は、前記乾燥粉末吸入器（１００）における吸入が前記視覚表示部（３０２）を前記表示位置から前記非表示位置に移動させるように配置される、請求項１０に記載の乾燥粉末薬剤吸入器（１００）。
【請求項１２】
前記乾燥粉末薬剤吸入器はさらに、上側近位貯蔵ハウジング（１０３）を備え、前記視覚表示部（３０２）は、前記上側近位貯蔵ハウジング（１０３）上の空気入口（１１０）に位置決めされる、請求項１０または請求項１１に記載の乾燥粉末薬剤吸入器（１００）。
【請求項１３】
前記空気出口（１０２）における吸入が、前記乾燥粉末吸入器（１００）の外側よりも低い圧力の領域を前記乾燥粉末吸入器（１００）の内側に形成し、前記圧力差は、前記視覚表示部（３０２）を前記表示位置から前記非表示位置に移動させるような力を、前記空気入口（１１０）において前記視覚表示部（３０２）に対して生成する、請求項１０〜１２のいずれか一項に記載の乾燥粉末薬剤吸入器（１００）。
【請求項１４】
前記視覚表示部（３０２）はタブ（３０５）を備え、前記タブは、前記視覚表示部が表示位置にあるときに前記上側近位貯蔵ハウジング（１０３）の開口部を貫通する、請求項１２または１３のいずれか一項に記載の乾燥粉末薬剤吸入器（１００）。
【請求項１５】
前記投薬表示部（３００）はさらにロック機構として働き、前記投薬機構（１０４、１０８）を用量収集位置から用量投与位置に移動する際に、複合型の表示ロック機構（３００）がロック解除非表示位置からロック表示位置に移動されて、前記ロック機構をリセットする前にさらに用量を計量することが防止される、請求項１０〜１４のいずれか一項に記載の乾燥粉末薬剤吸入器（１００）。
【請求項１６】
前記複合型の表示ロック機構（３００）は、ロック時に前記複合型の表示ロック機構（３００）が前記投薬機構（１０４、１０８）の回転を制限するように、前記投薬機構（１０４、１０８）と関連付けて配置される、請求項１５に記載の乾燥粉末吸入器。
【請求項１７】
前記複合型の表示ロック機構（３００）はロックディスク（３０１）およびラッチ（３０２）を備え、前記ラッチ（３０２）は、ロック位置にある前記ラッチ（３０２）の突起（３０３）が、前記ロックディスク（３０１）の平面を貫通し、前記突起（３０３）が前記ロックディスク（３０１）の少なくとも１つの部材に当接するように位置合わせされるように、前記ロックディスク（３０１）と関連付けられる、請求項１５または１６に記載の乾燥粉末薬剤吸入器（１００）。
【請求項１８】
乾燥粉末状の薬剤の吸入量を計量する乾燥粉末薬剤吸入器（１００）であって、
少なくとも１つの入口（１０１）および少なくとも１つの出口（１０２）であって、前記少なくとも１つの入口（１０１）と前記少なくとも１つの出口（１０２）との間の連絡部が、混合脱凝集チャンバ（１０６）、および前記少なくとも１つの入口（１０１）と前記チャンバ（１０６）との間の少なくとも１つの投薬連絡部（１０７）を少なくとも備える、前記少なくとも１つの入口（１０１）および前記少なくとも１つの出口（１０２）と、
前記入口（１０１）と前記チャンバ（１０６）との間に少なくとも１回用量の薬剤を配置して、前記連絡部（１０７）を通して前記出口（１０２）において吸入する際に前記少なくとも１回用量を送達できるようにする、投薬機構（１０４、１０８）と、
前記投薬機構（１０４、１０８）を用量収集位置から用量投与位置に移動する際に不正確用量防止機構（４００）が作動されるように、前記投薬機構と協働して配置される、前記不正確用量防止機構（４００）と、
枢動可能な釣り合いおもり（４２０）が前記不正確用量防止機構（４００）の作動を抑制するように、前記不正確用量防止機構（４００）と関連付けられる、前記枢動可能な釣り合いおもり（４２０）と、
を備える、乾燥粉末薬剤吸入器（１００）。
【請求項１９】
前記枢動可能な釣り合いおもり（４２０）は、前記釣り合いおもりの質量が前記不正確用量防止機構（４００）の外方への移動を抑制するように停止具（４２２）に対して作用するように、前記停止具（４２２）と関連付けられる、請求項１８に記載の乾燥粉末薬剤吸入器（１００）。
【請求項２０】
前記不正確用量防止機構は摺動要素（４０２）を備え、前記摺動要素（４０２）は回転ディスク（４０１）と関連付けて配置され、前記回転ディスク（４０１）は、用量ディスク（１０４）またはツイスタ（１０５）の回転が前記回転ディスク（４０１）の回転を引き起こし、そうすることで、前記摺動要素（４０２）が作動して外方に移動されるように、前記用量ディスク（１０４）および前記ツイスタ（１０５）と関連付けられる、請求項１８または請求項１９に記載の乾燥粉末薬剤吸入器（１００）。
【請求項２１】
前記枢動可能な釣り合いおもり（４２０）は軸（４２１）を中心に枢動し、前記軸は、前記摺動要素（４０２）の内側部分（４３１）に位置決めされる、請求項２０に記載の乾燥粉末薬剤吸入器。
【請求項２２】
前記枢動可能な釣り合いおもりは、前記軸（４２１）から前記乾燥粉末薬剤吸入器（１００）の長手方向軸に向かって、前記摺動要素（４０２）から延びる、請求項２１に記載の乾燥粉末薬剤吸入器。
【請求項２３】
前記枢動可能な釣り合いおもり（４２０）の寸法設定は、前記枢動可能な釣り合いおもり（４２０）の重心が前記枢支軸に対して遠位にあるようになっている、請求項２２に記載の乾燥粉末薬剤吸入器。
【請求項２４】
前記停止具（４２２）は、前記乾燥粉末薬剤吸入器（１００）の前記長手方向軸に関して傾斜する、請求項１９〜２３のいずれか一項に記載の乾燥粉末吸入器。
【請求項２５】
前記釣り合いおもり（４２０）は、前記不正確用量防止機構（４００）が外側位置にあるときに、内向きの力を供給しない、請求項１８〜２４のいずれか一項に記載の乾燥粉末吸入器。
【請求項２６】
前記不正確用量防止機構（４００）は投薬表示部である、請求項１８〜２５のいずれか一項に記載の乾燥粉末吸入器。
【請求項２７】
前記不正確用量防止機構（４００）はロック機構である、請求項１８〜２６のいずれか一項に記載の乾燥粉末吸入器。
【請求項２８】
前記不正確用量防止機構（４００）はロック機構および投薬表示部である、請求項１８〜２７のいずれか一項に記載の乾燥粉末吸入器。
【発明の詳細な説明】
【技術分野】
【０００１】
本発明は、概して、薬剤吸入器の分野に関し、より詳細には、乾燥粉末吸入器に関する。吸入器は、さらなる用量が投与可能になる前に、以前に計量された薬剤の吸入が要求されるように、ロック機構を備えてよい。あるいは、吸入器は、以前に計量された薬剤が未だ吸入されていないかどうかを判定するための表示部を備える。あるいは、吸入器は、不正確用量防止機構をある位置に維持するための釣り合いおもり機構を備えてよい。
【背景技術】
【０００２】
薬剤領域では、呼吸器疾患および／または他の疾患の治療に関して、吸入器が広く使用されてきた。こうした吸入器を用いて、血流への迅速な吸収および肺への局所作用のために、多数の薬物、治療薬、および他の物質が肺に吸入される。
【０００３】
吸入される薬物は、懸濁液を含む液体の形態および粉末の形態の、主な２つのカテゴリーに分類される。カテゴリーの選択は、吸入されることになる薬物、治療薬などの特徴に応じて変わる。
【０００４】
最も一般的なタイプの吸入器は加圧式定量吸入器である。このタイプの吸入器では、治療薬は、最も一般的には、噴射剤を収納する加圧キャニスタに、懸濁液でもよいが溶液の形態で格納される。こうしたキャニスタはプラスチック製の手動アクチュエータに取り付けられる。作動の際に、定量吸入器は、定められた用量の治療薬をエアゾールの形態で放出する。
【０００５】
別の種類の吸入器にネブライザがあり、ネブライザは、水性製剤から生成されるエアゾールとして治療薬を供給する。
【０００６】
本明細書で言及する種類には、さらに別のタイプ、乾燥粉末吸入器の形態のものがある。乾燥粉末吸入器は、予め計量されて封入された用量または装置が計量した用量の粉末状治療薬を供給し、その治療薬は吸入器を通して吸入される。装置が計量した用量の粉末状の治療薬を用いる吸入器は、通常、粉末状の治療薬を収納する治療薬貯蔵部を有する吸入器であり、計量済みの用量がその治療薬貯蔵部から様々な用量計量機構の使用によって引き出され、その後、前記用量が吸入される。
【０００７】
多くの乾燥粉末吸入器では、計量の作動はユーザによって管理され、これら用量を先に吸入することなく、用量投与位置においてユーザが複数回用量を計量できるというリスクがある。こうした誤用は、故意または不用意の場合があるが、場合によっては、ユーザが、吸入器によって必要な用量よりも多く受け取ることになる恐れがある。他の事例では、ユーザは、用量を正確に計量できなかった場合に、全く用量を受け取らなくなる恐れがある。ユーザが正確な回数分の用量を確実に受け取るためのシステムは、意図的でないリセットを不可能にすべきという点で信頼性がなければならない。
【発明の概要】
【課題を解決するための手段】
【０００８】
したがって、本発明は、好ましくは、第１の態様において、乾燥粉末状の薬剤の吸入量を計量する乾燥粉末薬剤吸入器であって、少なくとも１つの入口および少なくとも１つの出口であって、前記少なくとも１つの入口と前記少なくとも１つの出口との間の連絡部が、混合脱凝集チャンバ、および少なくとも１つの入口とチャンバとの間の少なくとも２つの投薬連絡部を少なくとも備える、少なくとも１つの入口および少なくとも１つの出口と、入口とチャンバとの間に少なくとも１回用量の薬剤を配置し、前記連絡部を通して前記出口において吸入する際に前記少なくとも１回用量を送達できる、投薬機構と、投薬機構を用量収集位置から用量投与位置に移動する際にロック機構がロック解除位置からロック位置に移動されて、ロック機構をリセットする前にさらに用量を計量することが防止される、ロック機構とを備える、乾燥粉末薬剤吸入器を提供することによって、当技術分野の上記で特定した不備および欠点のうちの１つまたは複数を単独でまたは任意の組合せで緩和、軽減、または除去しようと努め、少なくとも上記で言及した課題を解決する。
【０００９】
第２の態様では、乾燥粉末状の薬剤の吸入量を計量する乾燥粉末薬剤吸入器であって、少なくとも１つの入口および少なくとも１つの出口であって、前記少なくとも１つの入口と前記少なくとも１つの出口との間の連絡部が、混合脱凝集チャンバ、および少なくとも１つの入口とチャンバとの間の少なくとも２つの投薬連絡部を少なくとも備える、少なくとも１つの入口および少なくとも１つの出口と、入口とチャンバとの間に少なくとも１回用量の薬剤を配置し、前記連絡部を通して前記出口において吸入する際に前記少なくとも１回用量を送達できる、投薬機構と、投薬機構を用量収集位置から用量投与位置に移動する際に、用量が吸入される準備ができていることを表示する、投薬表示部とを備える、乾燥粉末薬剤吸入器が提供される。
【００１０】
第３の態様では、乾燥粉末状の薬剤の吸入量を計量する乾燥粉末薬剤吸入器であって、少なくとも１つの入口および少なくとも１つの出口であって、前記少なくとも１つの入口と前記少なくとも１つの出口との間の連絡部が、混合脱凝集チャンバ、および少なくとも１つの入口とチャンバとの間の少なくとも２つの投薬連絡部を少なくとも備える、少なくとも１つの入口および少なくとも１つの出口と、入口とチャンバとの間に少なくとも１回用量の薬剤を配置して、前記連絡部を通して前記出口において吸入する際に前記少なくとも１回用量を送達できる、投薬機構と、投薬機構を用量収集位置から用量投与位置に移動する際に、不正確用量防止機構が作動して、外側の防止位置に移動される、不正確用量防止機構と、枢動可能な釣り合いおもりが不正確用量防止機構の作動を抑制するように、不正確用量防止機構と関連付けられる、枢動可能な釣り合いおもりとを備える、乾燥粉末薬剤吸入器が提供される。
【００１１】
吸入器の有利な実施形態を以下におよび添付の従属請求項に記載する。
【００１２】
本発明が可能なあらゆる態様、特徴、および利点は、添付の図面を参照しながら本発明の実施形態の以下の説明から明らかにし、解明することができる。
【図面の簡単な説明】
【００１３】
【図１ａ】本発明の第１の態様の実施形態による乾燥粉末吸入器の斜視断面図である。
【図１ｂ】入口、出口、および貯蔵部をより明確に示す、乾燥粉末吸入器の斜視断面図である。
【図２ａ】ロック解除位置にあるロック機構の斜視切欠図である。
【図２ｂ】ロック位置にあるロック機構の斜視切欠図である。
【図３ａ】ロック機構のロックディスクの上面分解図である。
【図３ｂ】ロック機構のロックディスクおよびラッチの斜視分解図である。
【図４】図４ａ〜図４ｅは、ロックディスクの回転の様々な時点における、ラッチおよびロックディスクに注目した、ロック機構の断面分解図である。
【図５】空気入口におけるロック機構の位置決めを示す、乾燥粉末吸入器の斜視図である。
【図６ａ】枢動可能な釣り合いおもりを有するロック機構の斜視図である。
【図６ｂ】枢動可能な釣り合いおもりを有するロック機構の断面斜視図である。
【図７ａ】枢動可能な釣り合いおもりが外向きの位置にあるロック機構の斜視図である。
【図７ｂ】枢動可能な釣り合いおもりが外向きの位置にある、ロック機構の断面斜視図である。
【図８ａ】枢動可能な釣り合いおもりが上下逆さの位置にある、視覚表示部の斜視図である。
【図８ｂ】枢動可能な釣り合いおもりが上下逆さの位置にある、視覚表示部の断面斜視図である。
【図９ａ】本発明の第２の態様の実施形態による、乾燥粉末吸入器の斜視断面図である。
【図９ｂ】入口、出口、および貯蔵部をより明確に示す、乾燥粉末吸入器の斜視断面図である。
【図１０ａ】本発明の一実施形態による表示機構の斜視切欠図である。
【図１０ｂ】本発明の一実施形態による表示機構の斜視切欠図である。
【図１１ａ】本発明の一実施形態による、表示機構のロックディスクの上面分解図である。
【図１１ｂ】本発明の一実施形態による、表示機構のロックディスクおよびラッチの斜視分解図である。
【図１２】図１２ａ〜図１２ｅは、案内ディスクの回転の様々な時点における、表示部および案内ディスクに注目した、投薬表示部の断面分解図である。
【図１３ａ】空気入口における投薬表示部の位置決めを示す、乾燥粉末吸入器の斜視図である。
【図１３ｂ】非常に目立つ色つきバンドを有する投薬表示部の位置決めを示す、乾燥粉末吸入器の斜視図である。
【図１４ａ】枢動可能な釣り合いおもりを有する視覚表示部の斜視図である。
【図１４ｂ】枢動可能な釣り合いおもりを有する視覚表示部の断面斜視図である。
【図１５ａ】枢動可能な釣り合いおもりが外向きの位置にある、視覚表示部の斜視図である。
【図１５ｂ】枢動可能な釣り合いおもりが外向きの位置にある、視覚表示部の断面斜視図である。
【図１６ａ】枢動可能な釣り合いおもりが上下逆さの位置にある、視覚表示部の斜視図である。
【図１６ｂ】枢動可能な釣り合いおもりが上下逆さの位置にある、視覚表示部の断面斜視図である。
【図１７ａ】釣り合いおもり機構を有しない乾燥粉末薬剤吸入器の斜視断面図である。
【図１７ｂ】入口、出口、および貯蔵部をより明確に示す、釣り合いおもり機構を有しない乾燥粉末薬剤吸入器の斜視断面図である。
【図１８ａ】釣り合いおもりをロック解除位置に有しない、不正確用量防止機構の斜視切欠図である。
【図１８ｂ】釣り合いおもりをロック位置に有しない、ロック機構である不正確用量防止機構の斜視切欠図である。
【図１９ａ】釣り合いおもりを有しない、ロック機構である不正確用量防止機構のロックディスク上面分解図である。
【図１９ｂ】釣り合いおもりを有しない不正確用量防止機構のロックディスクおよびラッチの斜視分解図である。
【図２０】図２０ａ〜図２０ｅは、案内ディスクの回転の様々な時点における、表示部および案内ディスクに注目した、不正確用量防止機構の断面分解図である。
【図２１】空気入口における不正確用量防止機構の位置決めを示す、乾燥粉末薬剤吸入器の斜視図である。
【図２２ａ】枢動可能な釣り合いおもりを有する不正確用量防止機構の斜視図である。
【図２２ｂ】枢動可能な釣り合いおもりを有する不正確用量防止機構の断面斜視図である。
【図２３ａ】枢動可能な釣り合いおもりが外向きの位置にある、不正確用量防止機構の斜視図である。
【図２３ｂ】枢動可能な釣り合いおもりが外向きの位置にある、不正確用量防止機構の断面斜視図である。
【図２４ａ】枢動可能な釣り合いおもりが上下逆さの位置にある、不正確用量防止機構の斜視図である。
【図２４ｂ】枢動可能な釣り合いおもりが上下逆さの位置にある、不正確用量防止機構の断面斜視図である。
【発明を実施するための形態】
【００１４】
図を参照しながら以下に記載する各実施形態の乾燥粉末吸入器はいずれも、概して、その全体の設計は同様であり、ロック機構、投薬表示部、または不正確用量防止機構の存在だけが異なることを当業者なら理解する。しかし、以下でより明確になるように、乾燥粉末吸入器は、ロック機構、投薬表示部、または不正確用量防止機構のうちの２つまたは３つ全てを有してよい。例えば、図１８および図１９の記載では、乾燥粉末薬剤吸入器の不正確用量防止機構はロック機構とすることもできる。さらに、図１７〜図２４に関して説明するように、乾燥粉末吸入器の不正確用量防止機構は、両方を複合した表示ロック機構とすることもできる。図９〜図１６の投薬表示部を備える乾燥粉末吸入器では、投薬表示部は同時に、図１〜図８の乾燥粉末吸入器で説明するようなロック機構とすることができることも開示される。
【００１５】
ロック機構を備える乾燥粉末吸入器‐図１〜図８
本発明の一実施形態の以下の説明は、以前に計量された薬剤を吸入する前に用量ディスクによって薬剤を計量することを防止する、用量ディスクに関連するロック機構を備える乾燥粉末吸入器を説明する。
【００１６】
図１は、用量の計量を単回用量に制限するロック機構２００を備える乾燥粉末薬剤吸入器１００を示す。乾燥粉末薬剤吸入器１００は、空気入口１０１および空気出口１０２を備える。出口１０２は乾燥粉末薬物吸入器１００の第１の端部に配置され、入口１０１は、乾燥粉末薬物吸入器１００の反対側の第２の端部のゾーンに配置される。出口１０２は、乾燥粉末薬剤吸入器１００の長手方向軸に沿って中央に配置される。入口１０１は、乾燥粉末薬物吸入器１００の長手方向軸に関して乾燥粉末吸入器１００の径方向の外周に配置でき、そうすることで、吸引された空気を乾燥粉末吸入器１００の中央部分に向かって横断方向かつ径方向に導く。
【００１７】
乾燥粉末薬剤吸入器１００は、上側近位貯蔵ハウジング１０３、用量ディスク１０４、および下側遠位ツイスタ１０５を備える。貯蔵ハウジング１０３とツイスタ１０５とは、これら２つの間に用量ディスク１０４を収容するように協働する。ツイスタ１０５は、ツイスタ１０５の回転および捻回によって用量ディスク１０４が用量投与位置と用量収集位置との間を回転できるように、用量ディスク１０４と協働する。これは、相互連結する溝およびリブによって用量ディスク１０４とツイスタ１０５とを相互連結することによって、または例えば図１に開示するようにツイスタ１０５を用量ディスク１０４の中央で長手方向に延在させてそれに連結することによって、実現することができる。好ましくは、用量ディスク１０４の回転は、既知の様式の貯蔵ハウジング１０３との関係において用量投与位置および用量収集位置に相当する２つの端部位置を有する。
【００１８】
用量投与位置では、入口１０１は、投薬連絡部１０７を介して混合脱凝集チャンバ１０６と流体連絡状態にある。そのときに、投薬連絡部１０７は用量ディスク１０４の開口部１０８を通って延びる。したがって、開口部１０８は、用量投与位置では連絡部１０７に重ねられる。用量ディスク１０４を用量収集位置に回転するときは、開口部１０８が回転して入口１０１とチャンバ１０６との流体連絡が解消される。その代わりに、開口部１０８は薬剤貯蔵部１０９、１１０中に回転し、貯蔵部１０９、１１０に収容される薬剤を収集することができる。薬剤貯蔵部１０９に収納される薬剤は、薬剤貯蔵部１１０に収納される薬剤とは異なる薬剤でよい。２つの貯蔵部１０９、１１０のおかげで、吸入器１００は１回の吸入で２つの物質を送達でき、その結果、乾燥粉末が効果的かつ十分に分散される乾燥粉末吸入装置１００は、混合には適さない可能性がある物質または他の理由で別々の貯蔵部１０９、１１０内に有することが好ましい物質を含む薬剤を投与することができる。貯蔵部が２つなければ、前記２つの物質は、１つのつながった貯蔵部に含まれることが不可能であるという意味で、適さないことになる。
【００１９】
用量ディスク１０４およびその開口部１０８は、第１組の２つの開口部１０８が連絡部１０７に重ねられるとき、すなわち、用量投与位置にあるときに、第２組の２つの開口部１０８がそれぞれ薬剤貯蔵部１０９、１１０に位置決めされるように配置することが可能である。さらに、用量ディスク１０４上の開口部１０８の分布は、用量ディスクが一方向にのみ回転できるようになっており、つまり、第２組の２つの開口部１０８が連絡部１０７に重ねられると、第１組の開口部１０８がそれぞれ薬剤貯蔵部１０９、１１０に位置決めされる。
【００２０】
用量ディスク１０４と用量ディスクの開口部１０８とを組み合わせて、本明細書で以下に投薬機構１０４、１０８と呼ぶ。
【００２１】
乾燥粉末薬剤吸入器１００の投薬機構１０４、１０８が用量収集位置から用量投与位置に移動されると、ロック機構２００がロック解除位置からロック位置に移動されて、ロック機構をリセットする前にさらに用量を計量することが防止される。
【００２２】
ロック機構２００は、投薬機構１０４、１０８が単回用量の計量後に回転すること、したがって、複数回用量を計量することを制限できるように、投薬機構１０４、１０８と関連付けて配置される。ツイスタ１０５と投薬機構１０４、１０８とが相互連結されると、ロック機構２００はツイスタ１０５の回転移動も制限する。
【００２３】
ロック機構２００は、用量計量貯蔵部１０９、１１０において新たな用量を計量する前にロック解除しなければならないので、用量計量貯蔵部１０９、１１０における不用意な複数回用量の計量を制限することができる。ロック機構は、新たな用量を計量する前に、以前に計量された用量の吸入を要求することによって、吸入器の意図的な誤用を制限することもできる。
【００２４】
図２に示すように、ロック機構２００はロックディスク２０１およびラッチ２０２を備える。ロックディスク２０１は、乾燥粉末薬剤吸入器１００の長手方向軸と位置合わせされた回転軸を有するディスクである。ラッチ２０２は端部位置を２つ備える。外側ロック位置Ａおよび内側ロック解除位置Ｂ。
【００２５】
ラッチ２０２は、ラッチ２０２の突起２０３が、ロック位置Ａでは、ロックディスク２０１の平面を貫通でき、突起２０３がロックディスク２０１の１つまたは複数の部材に当接可能になるように位置合わせできるように、ロックディスク２０１と関連付けられる。これを実現する一手法は、ラッチ２０２がロック解除位置に移動するように乾燥粉末薬剤吸入器の中心長手方向軸に向かって径方向内方に移動でき、その後、ロック位置に移動するように径方向外方に移動できることである。ロックディスク２０１の回転とは対照的に、ラッチ２０２は実質的に線形の通路内をそれに沿って移動する。線形の通路は、乾燥粉末吸入器の中心長手方向軸から外向きに長手方向軸に垂直に延びる径方向のラインである。ラッチ２０２はロックディスク２０１の上方に配置することができる。ラッチ２０２とロックディスク２０１との間に、実質的に平坦な支持ディスク２０４を配置することができる。支持ディスク２０４は、ラッチ２０２のためのガイドおよび支持体として働く。
【００２６】
ロック解除位置Ｂでは、ラッチ２０２の突起２０３はやはりロックディスク２０１の平面を貫通できるが、ロック解除位置のラッチ２０２は、ロックディスク２０１を回転できるように、ロックディスク２０１の１つまたは複数の部材に当接しない。これを実現する一手法は、ラッチ２０２の突起２０３が、ロック位置Ａではロックディスク２０１の周囲部材と位置合わせされ、ロック解除位置Ｂでは、ラッチ２０２の突起２０３が、ロックディスク２０１を回転できるようにロックディスクの周囲部材との位置合わせを解消することである。例えば、周囲部材は、図３Ｂに開示する縦向きの停止具２１５とすることもできる。
【００２７】
ロックディスク２０１は、用量ディスク１０４またはツイスタ１０５の回転がロックディスク２０１の回転を引き起こすように、用量ディスク１０４およびツイスタ１０５と関連付けられる。用量ディスク１０４およびロックディスク２０１は、実質的に平行に配置され、位置合わせされた中心軸を有する。用量ディスク１０４およびロックディスク２０１は、中央シャフト上に固定することができる。シャフトは、スリーブ形状でよく、吸入チムニ１１２の外側に配置されてよい。ロックディスク２０１および用量ディスク１０４を中央シャフトに固定することは、用量ディスク１０４およびロックディスク２０１の回転が連動することを意味する。用量ディスク１０４およびロックディスク２０１は、一方のディスクの回転が他方の回転を引き起こすように、他の手段によって関連付けられてもよい。
【００２８】
ラッチ２０２が位置Ａにあると、ロックディスク２０１は回転できず、したがって、用量ディスク１０４は回転できない。ラッチが位置Ｂにあると、ロックディスク２０１も用量ディスク１０４も回転することができる。
【００２９】
ロックディスク２０１が図３に示されている。ロックディスクは、ロックディスク２０１の周囲からある角度で延びる案内部材２１０を備える。案内部材は、ロックディスク２０１によって形成される平面に平行でありそれに位置合わせされた平面内を延びる。案内部材２１０は、第２の端部２１２よりも第１の端部２１１においてロックディスク２０１の中心に近くなるように配置される。ロックディスク２０１はさらに、外周ロック部材２１３を備える。外周ロック部材２１３はロックディスク２０１の周囲から延びる。外周ロック部材２１３は、ロックディスク２０１の平面に平行に延びるベース２１４と、ロックディスク２０１の平面に垂直に延びる縦向きの停止具２１５とを有する。縦向きの停止具２１５は実質的に縦向きに延びる。外周ロック部材２１３は、案内部材２１０よりもロックディスク２０１の中心から遠い距離に位置決めされる。外周ロック部材の寸法設定は、ラッチ２０２の突起２０３が、ロックディスク２０１の回転２０３を停止するリミットとして働き、同じシャフトに固定できるときは用量ディスク１０４として働くことができるようになっている。
【００３０】
ラッチ２０２は、位置Ｂから位置Ａに移動されるときに、ロック位置に移動することができる。位置Ｂにあるラッチが図４ａの上面図に示され、ラッチ２０２の突起２０３はロックディスク２０１の部材に干渉していない。用量ディスク１０４が回転すると、ロックディスク２０１も回転する。ロックディスク２０１の中心に近い方の案内部材の第１の端部２１１は、図４ｂに示すように突起２０３に接触する。用量ディスクがさらに回転すると、ロックディスク２０１はさらに回転し、突起２０３は、図４ｃに示すように、案内部材２１０の長さに沿って第２の端部２１２に向かって摺動する。案内部材２１０の第２の端部２１２がロックディスクの中心からより遠くにあるので、用量ディスク１０４およびロックディスク２０１の回転中に、突起２０３およびラッチ２０２は、図４ｄに示すように、ロックディスク２０１の中心から外方に移動される。
【００３１】
用量ディスク１０４の回転中に、用量ディスクは用量収集位置から用量投与位置に移動する。
【００３２】
回転後は、突起２０３を備えるラッチ２０２は、図４ｅに示すように、外周ロック部材２１３の縦向きの停止具２１５に当接する。ここでラッチ２０２がロックディスク２０１の部材と干渉しているので、用量ディスク１０４およびロックディスク２０１はそれ以上回転することができない。したがって、用量ディスク１０４は位置がロックされる。
【００３３】
用量ディスク１０４を再度回転可能にするために、２０２ラッチを位置Ｂに移動しなければならない。ロック機構がロック位置Ａからロック解除位置Ｂに移動することを、ロック機構のリセットと呼ぶ。
【００３４】
ロック機構のリセットは手動でまたは吸入によって行うことができる。
【００３５】
手動のリセットのために、ラッチ２０２はタブ２０５を備える。タブは裏板２０６から延びることができる。タブ２０５は、タブに対する力がラッチ２０２をロック位置からロック解除位置に移動するように配置することができる。説明のために、ラッチ２０２は、縁部２０６で適用される力がラッチを位置Ａ、ロック位置から、位置Ｂ、ロック解除位置に移動できるように配置される。その力は、ユーザの指など、ユーザによって適用することもできる。
【００３６】
吸入によるリセットのために、ラッチ２０２は、乾燥粉末吸入器における吸入がラッチ２０２をロック位置Ａからロック解除位置Ｂに移動できるように配置することができる。これは、このように単回用量の薬剤が吸入された後にラッチ２０２をロック解除できるので理想的である。ラッチ２０２は、上側近位貯蔵ハウジング１０３上の空気入口１１０に位置決めすることができる。
【００３７】
図５は、乾燥粉末吸入器の図、および吸入がラッチ２０２をリセットできるようなロック機構の位置決めの１つを示す。空気出口１０２における吸入時には、概して低圧の領域が乾燥粉末吸入器１００の内側に形成される。低圧領域は、乾燥粉末吸入器１００の内側の領域と、乾燥粉末吸入器１００の外部の領域との間に圧力差をもたらし、乾燥粉末吸入器の内側の圧力は外部の圧力よりも低い。その圧力差は、空気入口１１０において、内向きの方向を有する、ラッチ２０２に対する力を生成することができる。このような内向きの力によって、ラッチ２０２をロック位置Ａからロック解除位置Ｂに移動することができる。こうしたシステムによって、ラッチは、単回用量の薬剤が吸入される後にロック解除される。
【００３８】
図６Ａおよび図６Ｂはラッチ２０２を明確に示す。ラッチ２０２は、図６に示すようなキャリッジの形状にすることができる。ラッチ２０２は、例えば支持ディスク２０４に設けられる、隆起セクション２５１および隣接する低下セクション２５０を有するトラックに沿って摺動することができる。トラックは、２つの隆起セクション２５１がチャネルを画定する壁を形成するように、２つの隆起セクション２５１間に低下セクション２５０を備えることができる。それらセクションは、平行であり、乾燥粉末吸入器の中央から径方向に延びる線形の通路内を延びる。ラッチ２０２は、トラックの低下セクション２５０がラッチ２０２の固定型側方部材２５２を受容できるように、トラックに位置決めすることができる。ラッチ２０２は、固定型側方部材２５２がトラックの隆起セクション２５１にも当接できるように位置決めすることができる。上述のように、ラッチ２０２は、トラックに沿って、乾燥粉末吸入器の中央から径方向に延びる線形の通路内を摺動または移動する。
【００３９】
ラッチ２０２はさらに、ラッチ２０２の外側領域３３０の外周に垂直に延びる平坦な面３０６を備えることができる。
【００４０】
図６Ａおよび図６Ｂは、枢動可能な釣り合いおもり２２０と関連付けられたロック機構２００を示す。釣り合いおもり２２０は、ラッチ２０２の外方への移動を抑制する。釣り合いおもり２２０によって、ロック機構２００はロックする位置に不用意に移動することができない。ラッチ２０２は、概して、ロックディスク２０１の案内部材２１０によって係合されることによってのみ、外側位置に移動することができる。例えば、ユーザは、乾燥粉末吸入器を不用意に揺さぶってラッチ２０２を外側位置に移動させることができない。
【００４１】
枢動可能な釣り合いおもり２２０は、軸２２１を中心に枢動可能である。図６に示すように、軸２２１は、ラッチ２０２の移動方向に垂直とすることができる。図６Ｂに示すように、軸は、枢動可能な釣り合いおもりが軸２２１からある距離の位置に質量を有し、ラッチ２０２の最も外側の面と、釣り合いおもり２２０との間に設けられる停止具２２２に接して着座するように、位置決めされる。こうしたシステムでは、吸入器が縦向きに保持されるときは、質量に対する上下方向の力が下向きに作用し、したがって、停止具２２２の方向に力を適用する。案内部材２１０からの力など外部の力が適用されない場合は、釣り合いおもりは着座状態にあり、停止具２２２は、ラッチが外方に移動しないように反対方向に等しい力を供給する。釣り合いおもり２２０の質量は、ラッチを内側位置に保持するように作用する。
【００４２】
ラッチ２０２は、図６に示すようにキャリッジの形態とし、支持ディスク２０４上を摺動することができる。
【００４３】
図６から理解されるように、枢動可能な釣り合いおもり２２０は、枢支軸２２１から乾燥粉末薬剤吸入器１００の長手方向軸に向かって延びる。
【００４４】
枢動可能な釣り合いおもり２２０は、釣り合いおもりの質量が不正確用量防止機構３００の外方への移動を抑制するように停止具２２２に対して作用するように、停止具２２２と関連付けられる。停止具２２２は、視覚表示部２０２の最も外側の面３０６と、釣り合いおもり２２０との間に設けることができる。図６に示す実施形態では、停止具２２２は支持ディスク３０４に設けられる。
【００４５】
停止具２２２は、吸入器の長手方向軸に対して傾斜することができる。図６から理解できるように、吸入器が縦向きに保持されるときは、質量に対する上下方向の力が下向きに作用し、停止具の傾斜によって、ラッチ２０２の外側位置への移動を防止するように、内向きに力が発生する。停止具２２２は傾斜する必要はない。停止具２２２が傾斜せず、吸入器の長手方向軸と位置合わせされる場合は、ラッチ２０２を外方に移動させる傾向のある力の適用に反応して内向きの力が発生する。
【００４６】
枢動可能な釣り合いおもり２２０の寸法設定は、枢動可能な釣り合いおもり２２０の重心が枢支軸に対して遠位にあるようになっている。図５〜図７から理解できるように、これを実現する一手法は、くさび形の釣り合いおもり２２０を形成し、そのくさびの薄い方の構成要素が枢支軸に連結する近位側を形成することである。遠位の構成要素はくさびの厚い方の部分である。枢動可能な釣り合いおもり２２０は、角の数を減らすように、遠位端に丸形の縁部を備えることもできる。
【００４７】
枢動可能な釣り合いおもり２２０は、枢支軸２２１において少なくとも１つのピンによってラッチ２０２に連結することができる。図６〜図８に示すように、枢動可能な釣り合いおもり２２０は、枢支軸２２１と位置合わせされて延びる２つのピン２２３によってラッチ２０２に連結することができる。ピンはラッチ２０２上の凹所に挿入可能とすることができる。枢動可能な釣り合いおもり２２０は、釣り合いおもりをラッチの凹所により簡単に挿入できるように、ピン２２３間に凹所２２５を備えることができる。
【００４８】
ラッチの裏板２０６は、外部から視認できるように、外側領域に位置決めされる。
【００４９】
ラッチ２０２を外方に移動する際は、枢動可能な釣り合いおもり２２０がそのときに、下向きに作用する重力に対抗して上向きに枢動させられる。図７Ａおよび図７Ｂから理解できるように、ラッチ２０２が外側のアクティブな防止位置にあるときは、釣り合いおもりは実質的に水平の位置に着座する。水平位置に着座するときは、釣り合いおもり２２０は、ラッチに対して内向き方向に力を適用しない。このように、枢動可能な釣り合いおもりは、開始時にのみまたはロック機構の移動中に力を適用することができる。枢動可能な釣り合いおもりは、ロック機構が防止位置にあるときに、内向きの力を供給しない。
【００５０】
図８Ａおよび図８Ｂに示すように、乾燥粉末吸入器１００が上下逆さの場合、釣り合いおもりは、機能し続け、ラッチ２０２の外方への移動を抑制し続ける。
【００５１】
乾燥粉末吸入器１００の様々な部品を、熱可塑性物質など射出成形可能なプラスチックなど、適切な材料で製造してよい。
【００５２】
投薬表示部を備える乾燥粉末吸入器‐図９〜図１６
本発明の別の実施形態の以下の説明は、以前に計量された薬剤を吸入する前に用量ディスクによって薬剤を計量することを防止する、用量ディスクに関連する表示機構を備える乾燥粉末吸入器を説明する。表示機構は同時に、図１〜図８を参照しながら上述したようなロック機構とすることができる。
【００５３】
図９Ａおよび図９Ｂは、用量の計量を単回用量に制限する表示機構３００を備える乾燥粉末薬剤吸入器１００を示す。乾燥粉末薬剤吸入器１００は、空気入口１０１および空気出口１０２を備える。出口１０２は乾燥粉末薬物吸入器１００の第１の端部に配置され、入口１０１は、乾燥粉末薬物吸入器１００の反対側の第２の端部のゾーンに配置される。出口１０２は、乾燥粉末薬剤吸入器１００の長手方向軸に沿って中央に配置される。入口１０１は、乾燥粉末薬物吸入器１００の長手方向軸に関して乾燥粉末吸入器１００の径方向の外周に配置でき、そうすることで、吸引された空気を乾燥粉末吸入器１００の中央部分に向かって横断方向かつ径方向に導く。
【００５４】
乾燥粉末薬剤吸入器１００は、上側近位貯蔵ハウジング１０３、用量ディスク１０４、および下側遠位ツイスタ１０５を備える。貯蔵ハウジング１０３とツイスタ１０５とは、これら２つの間に用量ディスク１０４を収容するように協働する。ツイスタ１０５は、ツイスタ１０５の回転および捻回によって用量ディスク１０４が用量投与位置と用量収集位置との間を回転できるように、用量ディスク１０４と協働する。これは、相互連結する溝およびリブによって用量ディスク１０４とツイスタ１０５とを相互連結することによって、または例えば図９Ａに開示するようにツイスタ１０５を用量ディスク１０４の中央で長手方向に延在させてそれに連結することによって、実現することができる。好ましくは、用量ディスク１０４の回転は、既知の様式の貯蔵ハウジング１０３との関係において用量投与位置および用量収集位置に相当する２つの端部位置を有する。
【００５５】
用量投与位置では、入口１０１は、投薬連絡部１０７を介して混合脱凝集チャンバ１０６と流体連絡状態にある。そのときに、投薬連絡部１０７は用量ディスク１０４の開口部１０８を通って延びる。したがって、開口部１０８は、用量投与位置では連絡部１０７に重ねられる。用量ディスク１０４を用量収集位置に回転するときは、開口部１０８が回転して入口１０１とチャンバ１０６との流体連絡が解消される。その代わりに、開口部１０８は薬剤貯蔵部１０９、１１０中に回転し、貯蔵部１０９、１１０に収容される薬剤を収集することができる。薬剤貯蔵部１０９に収納される薬剤は、薬剤貯蔵部１１０に収納される薬剤とは異なる薬剤でよい。２つの貯蔵部１０９、１１０のおかげで、吸入器１００は１回の吸入で２つの物質を送達でき、その結果、乾燥粉末が効果的かつ十分に分散される乾燥粉末吸入装置１００は、混合には適さない可能性がある物質または他の理由で別々の貯蔵部１０９、１１０内に有することが好ましい物質を含む薬剤を投与することができる。貯蔵部が２つなければ、前記２つの物質は、１つのつながった貯蔵部に含まれることが不可能であるという意味で、適さないことになる。
【００５６】
用量ディスク１０４およびその開口部１０８は、第１組の２つの開口部１０８が連絡部１０７に重ねられる、すなわち、用量投与位置にあるときに、第２組の２つの開口部１０８がそれぞれ薬剤貯蔵部１０９、１１０に位置決めされるように配置することが可能である。さらに、用量ディスク１０４上の開口部１０８の分布は、用量ディスクが一方向にのみ回転できるようになっており、つまり、第２組の２つの開口部１０８が連絡部１０７に重ねられると、第１組の開口部１０８がそれぞれ薬剤貯蔵部１０９、１１０に位置決めされる。
【００５７】
用量ディスク１０４と用量ディスクの開口部１０８とを組み合わせて、本明細書で以下に投薬機構１０４、１０８と呼ぶ。
【００５８】
乾燥粉末薬剤吸入器１００の投薬機構１０４、１０８が用量収集位置から用量投与位置に移動されると、投薬表示部３００は、用量が吸入される準備ができていることを表示する。
【００５９】
投薬表示部３００は、投薬機構１０４、１０８が用量計量貯蔵部１０９、１１０において用量を投与したことを表示するように、投薬機構１０４、１０８と関連付けて配置される。
【００６０】
投薬表示部３００は、用量が吸入される準備ができていることを表示する表示状態と吸入される準備ができた用量がないことを表示する非表示状態との、２つの状態を有するように配置される。明らかに、投薬表示部３００は、表示状態で、用量が首尾よく吸入されたことまたは用量が存在しないことを表示し、非表示状態で、用量が吸入される準備ができていることを表示するように配置することもできる。
【００６１】
投薬表示部３００は、用量計量貯蔵部１０９、１１において用量が計量されたか否かの表示および／またはフィードバックをユーザが有するので、ユーザが用量計量貯蔵部１０９、１１０における不用意な複数回用量の計量を避けるのを助ける。
【００６２】
図１０Ａおよび図１０Ｂに示すように、投薬表示部３００は、回転ディスク３０１と関連付けて配置される視覚表示部３０２を備える。回転ディスク３０１は、乾燥粉末薬剤吸入器１００の長手方向軸と位置合わせされた回転軸を有するディスクである。視覚表示部３０２は、投薬表示部３００の２つの状態を形成できるように配置することができる。視覚表示部３０２はこのように、２つの状態、すなわち、用量が用量計量貯蔵部において計量され吸入される準備ができているという表示がある、第１の状態である表示状態と、表示がなく、以前の用量が吸入されたときに吸入される準備ができた用量がないか、または用量が未だ計量されていない、第２の非表示状態とを備える。
【００６３】
第１の表示状態から第２の非表示状態に機械的に移動できるように視覚表示部３０２を構築する一手法を、本明細書で以下に記載する。
【００６４】
視覚表示部３０２は、非表示位置に移動するように乾燥粉末薬剤吸入器の中心長手方向軸に向かって径方向内方に移動でき、その後、表示位置に移動するように径方向外方に移動することができる。回転ディスク３０１の回転とは対照的に、視覚表示部３０２は実質的に線形の通路内をそれに沿って移動する。線形の通路は、乾燥粉末吸入器の中心長手方向軸から外向きに長手方向軸に垂直に延びる径方向のラインでよい。ただし、表示部が吸入器１００内に引っ込むように、線形の通路が内方に向けられるだけで十分であり、必ずしも吸入器１００の中心長手方向軸に交差するものではない。視覚表示部３０２は回転ディスク３０１の上方に配置することができる。視覚表示部３０２と回転ディスク３０１との間に、実質的に平坦な支持ディスク３０４を配置することができる。支持ディスク３０４は、視覚表示部３０２のためのガイドおよび支持体として働く。
【００６５】
視覚表示のために、視覚表示部３０２はタブ３０５を備えることができる。タブは裏板３０６から延びることができる。タブは、上側近位貯蔵ハウジングの開口部を貫通することができる。視覚フィードバックを強化するために、タブはさらに、近位貯蔵ハウジングの色とは異なる色に色づけすることができる。上側近位貯蔵ハウジングの開口部を貫通するタブが、視覚表示と組み合わせたタクタイル表示を提供することもできる。この視覚表示部は、タブを有する必要はないが、図１４Ａおよび図１４Ｂに示すように、視覚表示部として働く裏板３０６を備えることもできる。
【００６６】
図１３Ｂは、投薬表示部、非常に目立つ色のバンド３４０を示す。バンドは、非常に目立つ印となる色に色づけすることができる。色つきバンド３４０は、摺動要素３０２の平坦な面３０６上に位置決めされる。図１３Ｂに示すように、摺動要素の外側領域の外周３４１は、非常に目立つ色つき領域を備えることができる。色つき領域は、摺動要素の面および／または周囲の領域に設けられる場合、例えば摺動要素が外側位置にある第１の位置では、空気入口１１０にあるビーム３４２によって、さらに、空気入口１１０の縁部３４１によって、目立たなくなることがある。第２の位置では、色つき領域が視認できるように、摺動要素と、ビーム３４２および縁部３４１との間に仕切りが存在できる。このように、不正確用量防止機構は投薬表示部である。
【００６７】
視覚表示部３０２は、上側近位の貯蔵部の開口部に形成することもできるが、開口部を貫通しない。こうした形態では、視覚表示部３０２は、第１の外観を有する第１の部分と、視覚的に区別できる第２の部分とを備える。例えば、第１の部分は、上側近位貯蔵ハウジングと同じ色とすることもでき、第２の部分は色が異なる。表示部を第１の非表示状態から第２の表示状態に移動する際は、視覚的に区別できる部分が視認可能になる。
【００６８】
回転ディスク３０１は、用量ディスク１０４またはツイスタ１０５の回転が回転ディスク３０１の回転を引き起こすように、用量ディスク１０４およびツイスタ１０５と関連付けられる。用量ディスク１０４および回転ディスク３０１は、実質的に平行に配置され、位置合わせされた中心軸を有する。用量ディスク１０４および回転ディスク３０１は、中央シャフト上に固定することができる。シャフトは、スリーブ形状でよく、吸入チムニ１１２の外側に配置されてよい。回転ディスク３０１および用量ディスク１０４を中央シャフトに固定することは、用量ディスク１０４および回転ディスク３０１の回転が連動することを意味する。用量ディスク１０４および回転ディスク３０１は、一方のディスクの回転が他方の回転を引き起こすように、他の手段によって関連付けられてもよい。
【００６９】
回転ディスク３０１が図１１に示されている。回転ディスクは、回転ディスク３０１の周囲からある角度で延びる案内部材３１０を備える。案内部材は、ロックディスク３０１によって形成される平面に平行でありそれに位置合わせされた平面内を延びる。案内部材３１０は、第２の端部３１２よりも第１の端部３１１において回転ディスク３０１の中心に近くなるように配置される。
【００７０】
非表示位置にある表示部が図１２Ａの上面図に示され、視覚表示部３０２の突起３０３は回転ディスク３０１の部材と干渉していない。用量ディスク１０４が回転すると、回転ディスク３０１も回転する。回転ディスク３０１の中心に近い方の案内部材の第１の端部３１１は、図１２Ｂに示すように突起３０３に接触する。用量ディスクがさらに回転すると、回転ディスク３０１はさらに回転し、突起３０３は、図１２Ｃに示すように、案内部材３１０の長さに沿って第２の端部３１２に向かって摺動する。案内部材３１０の第２の端部３１２が回転ディスクの中心からより遠くにあるので、用量ディスク１０４および回転ディスク３０１の回転中に、突起３０３および表示部３０２は、図１２Ｄに示すように、回転ディスク３０１の中心から外方に移動される。
【００７１】
用量ディスク１０４の回転中に、用量ディスクは用量収集位置から用量投与位置に移動する。
【００７２】
表示部を表示状態から非表示状態に設定することを、投薬表示部のリセットと呼ぶ。
【００７３】
吸入によるリセットのために、表示部３０２は、乾燥粉末吸入器における吸入が表示部３０２を表示位置から非表示位置に移動できるように配置することができる。表示部は、上側近位貯蔵ハウジング１０３上の空気入口１１０に位置決めすることができる。これは、このように単回用量の薬剤が吸入された後に表示部３０２をリセットできるので理想的である。
【００７４】
図１３Ａおよび図１３Ｂは、乾燥粉末吸入器の図、および吸入が表示部３０２をリセットできるような投薬表示部の位置決めの１つを示す。空気出口１０２における吸入時には、概して低圧の領域が乾燥粉末吸入器１００の内側に形成される。低圧領域は、乾燥粉末吸入器１００の内側の領域と、乾燥粉末吸入器１００の外部の領域との間に圧力差をもたらし、乾燥粉末吸入器の内側の圧力は外部の圧力よりも低い。その圧力差は、空気入口１１０において、内向きの方向を有する、表示部３０２に対する力を生成することができる。このような内向きの力によって、表示部３０２を表示状態から非表示状態に移動することができる。こうしたシステムによって、表示部は、単回用量の薬剤が吸入される後にリセットされる。
【００７５】
視覚表示のために、表示部３０２は、表示部が表示状態にあるときに照明する照明を備えることもできる。照明は、上側近位のハウジング１０３上に位置決めすることができる。照明は、機械的表示部の場合のように回転ディスク３０１に機械的に連結する必要がないので、上側近位のハウジング上の様々な位置に位置決めすることができ、必ずしも空気入口１１０に位置決めされる必要はない。
【００７６】
図１４Ａおよび図１４Ｂは視覚表示部３０２を明確に示す。視覚表示部３０２は、図１４Ａおよび図１４Ｂに示すようなキャリッジの形状にすることができる。視覚表示部は、例えば支持ディスク３０４に設けられる、隆起セクション３５１および隣接する低下セクション３５０を有するトラックに沿って摺動することができる。トラックは、２つの隆起セクション３５１がチャネルを画定する壁を形成するように、２つの隆起セクション３５１間に低下セクション３５０を備えることができる。それらセクションは、平行であり、乾燥粉末吸入器の中央から径方向に延びる線形の通路内を延びる。視覚表示部３０２は、トラックの低下セクション３５０が視覚表示部の固定型側方部材３５２を受容できるように、トラックに位置決めすることができる。視覚表示部は、固定型側方部材３５２がトラックの隆起セクション３５１にも当接できるように位置決めすることができる。上述のように、視覚表示部は、トラックに沿って、乾燥粉末吸入器の中央から径方向に延びる線形の通路内を摺動または移動する。
【００７７】
視覚表示部はさらに、視覚表示部３０２の外側領域３３０の外周に垂直に延びる平坦な面３０６を備えることができる。
【００７８】
図１４Ａおよび図１４Ｂは、枢動可能な釣り合いおもり３２０と関連付けられた投薬表示部３００を示す。釣り合いおもり３２０は、視覚表示部３０２の外方への移動を抑制する。釣り合いおもり３２０によって、投薬表示部３００は不用意に表示位置に移動することができない。視覚表示部３０２は、概して、ロックディスク３０１の案内部材３１０によって係合されることによってのみ、外側位置に移動することができる。例えば、ユーザは、乾燥粉末吸入器を不用意に揺さぶって視覚表示部３０２を外側位置に移動させることができない。
【００７９】
枢動可能な釣り合いおもり３２０は、軸３２１を中心に枢動可能である。図１４Ａに示すように、軸３２１は、視覚表示部３０２の移動方向に垂直とすることができる。図１４Ｂ示すように、軸は、枢動可能な釣り合いおもりが軸３２１からある距離の位置に質量を有し、視覚表示部３０２の最も外側の面と、釣り合いおもり３２０との間に設けられる停止具３２２に接して着座するように、位置決めされる。こうしたシステムでは、吸入器が縦向きに保持されるときは、質量に対する上下方向の力が下向きに作用し、したがって、停止具３２２の方向に力を適用する。案内部材３１０からの力など外部の力が適用されない場合は、釣り合いおもりは着座状態にあり、停止具３２２は、視覚表示部が外方に移動しないように反対方向に等しい力を供給する。釣り合いおもり３２０の質量は、視覚表示部を内側位置に保持するように作用する。
【００８０】
視覚表示部３０２は、図１４Ａおよび図１４Ｂに示すようにキャリッジの形態とし、支持ディスク３０４上を摺動することができる。
【００８１】
図１４Ａおよび図１４Ｂから理解されるように、枢動可能な釣り合いおもり３２０は、枢支軸３２１から乾燥粉末薬剤吸入器１００の長手方向軸に向かって延びる。
【００８２】
枢動可能な釣り合いおもり３２０は、釣り合いおもりの質量が不正確用量防止機構３００の外方への移動を抑制するように停止具３２２に対して作用するように、停止具３２２と関連付けられる。停止具３２２は、視覚表示部３０２の最も外側の面３０６と釣り合いおもり３２０との間に設けることができる。図１４に示す実施形態では、停止具３２２は支持ディスク３０４に設けられる。
【００８３】
停止具３２２は、吸入器の長手方向軸に対して傾斜することができる。図１４から理解できるように、吸入器が縦向きに保持されるときは、質量に対する上下方向の力が下向きに作用し、停止具の傾斜によって、視覚表示部３０２の外側位置への移動を防止するように、内向きに力が発生する。停止具３２２は傾斜する必要はない。停止具３２２が傾斜せず、吸入器の長手方向軸と位置合わせされる場合は、視覚表示部３０２を外方に移動させる傾向のある力の適用に反応して内向きの力が発生する。
【００８４】
枢動可能な釣り合いおもり３２０の寸法設定は、枢動可能な釣り合いおもり３２０の重心が枢支軸に対して遠位にあるようになっている。図１３〜図１５から理解できるように、これを実現する一手法は、くさび形の釣り合いおもり３２０を形成し、そのくさびの薄い方の構成要素が枢支軸に連結する近位側を形成することである。遠位の構成要素はくさびの厚い方の部分である。枢動可能な釣り合いおもり３２０は、角の数を減らすように、遠位端に丸形の縁部を備えることもできる。
【００８５】
枢動可能な釣り合いおもり３２０は、枢支軸３２１において少なくとも１つのピンによって視覚表示部３０２に連結することができる。図１４〜図１６に示すように、枢動可能な釣り合いおもり３２０は、枢支軸３２１と位置合わせされて延びる２つのピン３２３によって視覚表示部３０２に連結することができる。ピンは視覚表示部３０２上の凹所に挿入可能とすることができる。枢動可能な釣り合いおもり３２０は、釣り合いおもりを視覚表示部の凹所により簡単に挿入できるように、ピン３２３間に凹所３２５を備えることができる。
【００８６】
視覚表示部の裏板３０６は、外部から視認できるように、外側領域に位置決めされる。
【００８７】
視覚表示部３０２を外方に移動する際は、枢動可能な釣り合いおもり３２０がそのときに、下向きに作用する重力に対抗して上向きに枢動させられる。図１５Ａおよび図１５Ｂから理解できるように、視覚表示部３０２が外側の表示位置にあるときは、釣り合いおもりは実質的に水平の位置に着座する。水平位置に着座するときは、釣り合いおもり３２０は、視覚表示部に対して内向き方向に力を適用しない。このように、枢動可能な釣り合いおもりは、外側位置にあるときではなく、概して、開始時にのみまたは投薬表示部の移動中に力を適用することができる。枢動可能な釣り合いおもりは、投薬表示部３００が防止位置にあるときに、内向きの力を供給しない。
【００８８】
図１６Ａおよび図１６Ｂに示すように、乾燥粉末吸入器１００が上下逆さの場合、釣り合いおもりは、機能し続け、視覚表示部３０２の外方への移動を抑制し続ける。図１０は、投薬表示部がさらに、図１〜図８の実施形態に関して上述したようなロック機構３００として働く、乾燥粉末薬剤吸入器を示す。複合型の表示ロック機構３００は、投薬機構１０４、１０８を用量収集位置から用量投与位置に移動する際に機構３００がロック解除非表示位置からロック表示位置に移動されて、ロック機構をリセットする前にさらに用量を計量することが防止されるように機能する。
【００８９】
ロック機構３００は、用量計量貯蔵部１０９、１１０において新たな用量を計量する前にロック解除しなければならないので、用量計量貯蔵部１０９、１１０における不用意な複数回用量の計量を制限することができる。ロック機構は、新たな用量を計量する前に、以前に計量された用量の吸入を要求することによって、吸入器の意図的な誤用を制限することもできる。
【００９０】
図１０に示すように、ロック機構３００は、投薬表示部がロック機構でもあるときにロックディスク３０１と呼ぶことができる案内ディスクと、複合型の表示部ラッチ３０２とを備える。複合型の表示部ラッチ３０２は、２つの端部位置、外側ロック位置Ａおよび内側のロック解除位置Ｂを備える。
【００９１】
複合型の表示部ラッチ３０２は、表示部ラッチ３０２の突起３０３が、ロック位置Ａでは、ロックディスク３０１の平面を貫通でき、突起３０３がロックディスク３０１の１つまたは複数の部材に当接可能になるように位置合わせできるように、ロックディスク３０１と関連付けられる。これを実現する一手法は、表示部ラッチ３０２がロック解除位置に移動するように乾燥粉末薬剤吸入器の中心長手方向軸に向かって径方向内方に移動でき、その後、ロック位置に移動するように径方向外方に移動できることである。ロック位置Ａでは、複合型の表示部ラッチ３０２は表示位置にある。一方、ロック解除位置Ｂでは、複合型の表示部ラッチ３０２は表示位置にない。
【００９２】
ロック解除位置Ｂでは、表示部ラッチ３０２の突起３０３はやはりロックディスク３０１の平面を貫通できるが、ロック解除位置の表示部ラッチ３０２は、ロックディスク３０１を回転できるように、ロックディスク３０１の１つまたは複数の部材に当接しない。これを実現する一手法は、表示部ラッチ３０２の突起３０３が、ロック位置Ａではロックディスク３０１の周囲部材と位置合わせされ、ロック解除位置Ｂでは、表示部ラッチ３０２の突起３０３が、ロックディスク３０１を回転できるようにロックディスクの周囲部材との位置合わせを解消することである。例えば、周囲部材は、図１１Ｂに開示する縦向きの停止具３１５とすることもできる。
【００９３】
複合型の表示部ラッチ３０２が位置Ａにあると、ロックディスク３０１は回転できず、したがって、用量ディスク１０４は回転できない。ラッチが位置Ｂにあると、ロックディスク３０１も用量ディスク１０４も回転することができる。
【００９４】
案内ディスクは、ロックディスク３０１であるときはさらに、外周ロック部材３１３を備える。外周ロック部材３１３は、ロックディスク３０１の周囲から延びる。外周ロック部材３１３は、ロックディスク３０１の平面に平行に延びるベース３１４と、ロックディスク３０１の平面に垂直に延びる縦向きの停止具３１５とを有する。縦向きの停止具３１５は実質的に縦向きに延びる。外周ロック部材３１３は、案内部材３１０よりもロックディスク３０１の中心から遠い距離に位置決めされる。外周ロック部材の寸法設定は、複合型の表示部ラッチ３０２の突起３０３が、ロックディスク３０１の回転３０３を停止するリミットとして働き、同じシャフトに固定できるときは用量ディスク１０４として働くことができるようになっている。
【００９５】
図１〜図８の吸入器に関して上述したように、乾燥粉末吸入器１００の様々な部品を、熱可塑性物質など射出成形可能なプラスチックなど、適切な材料で製造してよい。
【００９６】
釣り合いおもり機構を備える乾燥粉末吸入器‐図１７〜図２４
本発明のさらに別の実施形態の以下の説明は、ユーザによる薬剤の不正確な計量を防止する、用量ディスクと関連付けられた釣り合いおもりを備える不正確用量防止機構を備える乾燥粉末薬剤吸入器を説明する。
【００９７】
図１７Ａおよび図１７Ｂは、ユーザによる薬剤の不正確な計量を防止する不正確用量防止機構４００を備える乾燥粉末薬剤吸入器１００を示す。乾燥粉末薬剤吸入器１００は、空気入口１０１および空気出口１０２を備える。出口１０２は乾燥粉末薬剤吸入器１００の第１の端部に配置され、入口１０１は、乾燥粉末薬物吸入器１００の反対側の第２の端部のゾーンに配置される。出口１０２は、乾燥粉末薬剤吸入器１００の長手方向軸に沿って中央に配置される。入口１０１は、乾燥粉末薬物吸入器１００の長手方向軸に関して乾燥粉末薬剤吸入器１００の径方向の外周に配置でき、そうすることで、吸引された空気を乾燥粉末薬剤吸入器１００の中央部分に向かって横断方向かつ径方向に導く。
【００９８】
乾燥粉末薬剤吸入器１００は、上側近位貯蔵ハウジング１０３、用量ディスク１０４、および下側遠位ツイスタ１０５を備える。貯蔵ハウジング１０３とツイスタ１０５とは、これら２つの間に用量ディスク１０４を収容するように協働する。ツイスタ１０５は、ツイスタ１０５の回転および捻回によって用量ディスク１０４が用量投与位置と用量収集位置との間を回転できるように、用量ディスク１０４と協働する。これは、相互連結する溝およびリブによって用量ディスク１０４とツイスタ１０５とを相互連結することによって、または例えば図１７に開示するようにツイスタ１０５を用量ディスク１０４の中央で長手方向に延在させてそれに連結することによって、実現することができる。好ましくは、用量ディスク１０４の回転は、既知の様式の貯蔵ハウジング１０３との関係において用量投与位置および用量収集位置に相当する２つの端部位置を有する。
【００９９】
用量投与位置では、入口１０１は、投薬連絡部１０７を介して混合脱凝集チャンバ１０６と流体連絡状態にある。そのときに、投薬連絡部１０７は用量ディスク１０４の開口部１０８を通って延びる。したがって、開口部１０８は、用量投与位置では連絡部１０７に重ねられる。用量ディスク１０４を用量収集位置に回転するときは、開口部１０８が回転して入口１０１とチャンバ１０６との流体連絡が解消される。その代わりに、開口部１０８は薬剤貯蔵部１０９、１１０中に回転し、貯蔵部１０９、１１０に収容される薬剤を収集することができる。薬剤貯蔵部１０９に収納される薬剤は、薬剤貯蔵部１１０に収納される薬剤とは異なる薬剤でよい。２つの貯蔵部１０９、１１０のおかげで、吸入器１００は１回の吸入で２つの物質を送達でき、その結果、乾燥粉末が効果的かつ十分に分散される乾燥粉末薬剤吸入装置１００は、混合には適さない可能性がある物質または他の理由で別々の貯蔵部１０９、１１０内に有することが好ましい物質を含む薬剤を投与することができる。貯蔵部が２つなければ、前記２つの物質は、１つのつながった貯蔵部に含まれることが不可能であるという意味で、適さないことになる。
【０１００】
用量ディスク１０４およびその開口部１０８は、第１組の２つの開口部１０８が連絡部１０７に重ねられるとき、すなわち、用量投与位置にあるときに、第２組の２つの開口部１０８がそれぞれ薬剤貯蔵部１０９、１１０に位置決めされるように配置することが可能である。さらに、用量ディスク１０４上の開口部１０８の分布は、用量ディスクが一方向にのみ回転できるようになっており、つまり、第２組の２つの開口部１０８が連絡部１０７に重ねられると、第１組の開口部１０８がそれぞれ薬剤貯蔵部１０９、１１０に位置決めされる。
【０１０１】
用量ディスク１０４と用量ディスクの開口部１０８とを組み合わせて、本明細書で以下に投薬機構１０４、１０８と呼ぶ。
【０１０２】
乾燥粉末薬剤吸入器１００の投薬機構１０４、１０８が用量収集位置から用量投与位置に移動されると、不正確用量防止機構４００が作動して、外側の防止位置に移動される。
【０１０３】
不正確用量防止機構４００は、投薬機構１０４、１０８を用量収集位置から用量投与位置に移動する際に不正確用量防止機構４００が作動して防止位置に移動されるように、投薬機構と協働して配置される。
【０１０４】
不正確用量防止機構４００は、用量の計量が防止される、アクティブな防止状態、概して外側の状態と、用量の計量が可能にされる、アクティブでなく防止しない、概して内側の状態との、２つの状態を有するように配置される。不正確用量防止機構は、例えば、用量表示機構とすることができる。用量表示機構は、乾燥粉末薬剤吸入器１００のユーザに、用量が吸入される準備ができていることまたは用量が吸入されたことを表示することができる。不正確用量防止機構４００は用量ロック機構とすることもできる。用量ロック機構は、以前に計量された用量を吸入する前に新たな用量を計量することを制限する。これは、用量が計量された後に用量ディスク１０４およびツイスタ１０５の移動を制限する用量ロック機構によって行うことができる。
【０１０５】
不正確用量防止機構は、両方を複合した表示ロック機構とすることもできる。表示部が複合型の表示部ロック機構である場合、用量が吸入される準備ができているときに、ロック機構４００は、用量計量貯蔵部１０９、１１０において新たな用量を計量すること、ならびに、何らかの方法で用量が吸入される準備ができたことを表示することを防止する。このように、複合型の用量表示部ロック機構は、用量計量貯蔵部１０９、１１０における不正確な用量の計量を防止する。
【０１０６】
図１８Ａおよび図１８Ｂは不正確用量防止機構４００を示す。不正確用量防止機構４００は、回転ディスク４０１と関連付けて配置される摺動要素４０２を備える。回転ディスク４０１は、乾燥粉末薬剤吸入器１００の長手方向軸と位置合わせされた回転軸を有するディスクである。摺動要素４０２は、不正確用量防止機構４００の２つの状態を形成できるように配置することができる。
【０１０７】
第１の内側のアクティブでない非防止状態から第２のアクティブな外側の防止状態に機械的に移動できるように摺動要素４０２を構築する一手法を、本明細書で以下に記載する。摺動要素の外側の状態は、不正確投薬防止機構４００のアクティブな防止状態に相当することができる。したがって、摺動要素４０２の内側の状態は、不正確投薬防止機構４００のアクティブでない非防止状態に相当することができる。
【０１０８】
内側のアクティブでない非防止の位置または状態から開始して、摺動要素４０２は、径方向外方に、用量が吸入される準備ができたことを表示する、外側のアクティブな防止位置に移動することもできる。摺動要素４０２は実質的に線形の通路に沿って移動する。線形の通路は、乾燥粉末薬剤吸入器の長手方向軸から外向きに長手方向軸に垂直に延びる径方向のラインのセグメントである。摺動要素４０２は回転ディスク４０１の上方に配置することができる。摺動要素４０２と回転ディスク４０１との間に、実質的に平坦な支持ディスク４０４を配置することができる。支持ディスク４０４は、摺動要素４０２のためのガイドおよび支持体として働く。
【０１０９】
不正確用量防止機構４００をリセットし、新たな用量の計量を可能にするために、摺動要素４０２は、内側のアクティブでない非防止位置に移動するように、径方向内方に、乾燥粉末薬剤吸入器の長手方向軸に向かって移動することができる。内側のアクティブでない非防止位置では、摺動要素は、用量計量貯蔵部における新たな用量の計量を防止しない。
【０１１０】
不正確用量防止機構４００が望ましくない状態に移動されないことを保証するために、枢動可能な釣り合いおもり４２０が、不正確用量防止機構の作動を抑制するように、不正確用量防止機構４００と関連付けられる。作動の抑制は、不正確用量防止機構の外方への移動を抑制することによって行うことができる。
【０１１１】
用量が計量されることなく、不正確用量防止機構が外側のアクティブな防止状態に移動できることは望ましくない。例えばユーザが乾燥粉末薬剤吸入器を揺さぶるかまたは上下逆さにした場合は、不正確用量防止機構４００は外側のアクティブな防止位置に移動させるべきではない。図２２から理解できるように、不正確用量防止機構４００が望ましくない状態に移動されないことを保証するために、枢動可能な釣り合いおもり４２０が、不正確用量防止機構４００の外方への移動を抑制するように、不正確用量防止機構４００と関連付けられる。
【０１１２】
枢動可能な釣り合いおもり４２０は、内向き方向に摺動要素４０２に対して力を適用するように働く。すなわち、釣り合いおもりは、概して、乾燥粉末薬剤吸入器１００の長手方向軸に向かう成分を有する力を適用する。このように、こうした内向きに作用する力が、不正確用量防止機構の外方への移動を抑制する。
【０１１３】
図２２から理解できるように、摺動要素は、外側領域４３０および内側領域４３１を有すると考えることができる。内側領域は、乾燥粉末薬剤吸入器１００の長手方向軸に最も近い領域である。枢動可能な釣り合いおもり４２０は枢支軸４２１を中心に枢動し、その軸は摺動要素４０２の内側領域４３１に位置決めされる。
【０１１４】
図２２Ａおよび図２２Ｂは摺動要素４０２を明確に示す。摺動要素４０２は、図２２に示すようなキャリッジの形状にすることができる。摺動要素は、例えば支持ディスク４０４に設けられる、隆起セクション４５１および隣接する低下セクション４５０を有するトラックに沿って摺動することができる。トラックは、２つの隆起セクション４５１がチャネルを画定する壁を形成するように、２つの隆起セクション４５１間に低下セクション４５０を備えることができる。それらセクションは、平行であり、乾燥粉末吸入器の中央から径方向に延びる線形の通路内を延びる。摺動要素４０２は、トラックの低下セクション４５０が摺動要素の固定型側方部材４５２を受容できるように、トラックに位置決めすることができる。摺動要素は、固定型側方部材４５２がトラックの隆起セクション４５１にも当接できるように位置決めすることができる。上述のように、摺動要素は、トラックに沿って、乾燥粉末吸入器の中央から径方向に延びる線形の通路内を摺動または移動する。
【０１１５】
摺動要素は、摺動要素４０２の外側領域４３０の外周に垂直に延びる平坦な面４０６を備えることができる。
【０１１６】
図２２から理解されるように、枢動可能な釣り合いおもり４２０は、枢支軸４２１から乾燥粉末薬剤吸入器１００の長手方向軸に向かって延びる。
【０１１７】
枢動可能な釣り合いおもり４２０は、釣り合いおもりの質量が不正確用量防止機構４００の外方への移動を抑制するように停止具４２２に対して作用するように、停止具４２２と関連付けられる。停止具４２２は、視覚表示部４０２の最も外側の面４０６と釣り合いおもり４２０との間に設けることができる。図２２に示す実施形態では、停止具４２２は支持ディスク４０４に設けられる。
【０１１８】
停止具４２２は、吸入器の長手方向軸に対して傾斜することができる。図２２から理解できるように、吸入器が縦向きに保持されるときは、質量に対する上下方向の力が下向きに作用し、停止具の傾斜によって、摺動要素４０２の外側位置への移動を防止するように、内向きに力が発生する。停止具４２２は傾斜する必要はない。停止具４２２が傾斜せず、吸入器の長手方向軸と位置合わせされる場合は、摺動要素４０２を外方に移動させる傾向のある力の適用に反応して内向きの力が発生する。
【０１１９】
枢動可能な釣り合いおもり４２０の寸法設定は、枢動可能な釣り合いおもり４２０の重心が枢支軸に対して遠位にあるようになっている。図２１〜図２３から理解できるように、これを実現する一手法は、くさび形の釣り合いおもり４２０を形成し、そのくさびの薄い方の構成要素が枢支軸に連結する近位側を形成することである。遠位の構成要素はくさびの厚い方の部分である。枢動可能な釣り合いおもり４２０は、角の数を減らすように、遠位端に丸形の縁部を備えることもできる。
【０１２０】
枢動可能な釣り合いおもり４２０は、枢支軸４２１において少なくとも１つのピンによって摺動要素４０２に連結することができる。図２２〜図２４に示すように、枢動可能な釣り合いおもり４２０は、枢支軸４２１と位置合わせされて延びる２つのピン４２３によって摺動要素４０２に連結することができる。ピンは摺動要素４０２上の凹所に挿入可能とすることができる。枢動可能な釣り合いおもり４２０は、釣り合いおもりを摺動要素４０２の凹所により簡単に挿入できるように、ピン４２３間に凹所４２５を備えることができる。
【０１２１】
回転ディスク４０１は、用量ディスク１０４またはツイスタ１０５の回転が回転ディスク４０１の回転を引き起こすように、用量ディスク１０４およびツイスタ１０５と協働する。摺動要素は、そうすることによって、外側の防止位置に移動することができる。用量ディスク１０４および回転ディスク４０１は、実質的に平行に配置され、位置合わせされた中心軸を有する。用量ディスク１０４および回転ディスク４０１は、中央シャフト上に固定することができる。シャフトは、スリーブ形状でよく、吸入チムニ１１２の外側に配置されてよい。回転ディスク４０１および用量ディスク１０４を中央シャフトに固定することは、用量ディスク１０４および回転ディスク４０１の回転が連動することを意味する。用量ディスク１０４および回転ディスク４０１は、一方のディスクの回転が他方の回転を引き起こすように、他の手段によって関連付けられてもよい。
【０１２２】
回転ディスク４０１が図１９に示されている。回転ディスクは、回転ディスク４０１の周囲からある角度で延びる案内部材４１０を備える。案内部材は、回転ディスク４０１によって形成される平面に平行でありそれに位置合わせされた平面内を延びる。案内部材４１０は、第２の端部４１２よりも第１の端部４１１において回転ディスク４０１の中心に近くなるように配置される。図１９Ｂには、本発明による釣り合いおもりは示さない。
【０１２３】
摺動要素４０２が図２０ａの上面図に示され、摺動要素４０２の突起４０３は回転ディスク４０１の部材と干渉していない。用量ディスク１０４が回転すると、回転ディスク４０１も回転する。回転ディスク４０１の中心に近い方の案内部材の第１の端部４１１は、図２０ｂに示すように突起４０３に接触する。用量ディスク１０４がさらに回転すると、回転ディスク４０１はさらに回転し、突起４０３は、図２０ｃに示すように、案内部材４１０の長さに沿って第２の端部４１２に向かって摺動する。案内部材４１０の第２の端部４１２が回転ディスクの中心からより遠くにあるので、用量ディスク１０４および回転ディスク４０１の回転中に、突起４０３、したがって、摺動要素４０２は、図２０ｄに示すように、回転ディスク４０１の中心から外方に移動される。ここで摺動要素４０２は外側位置にある。
【０１２４】
摺動要素４０２を外方に移動する際は、枢動可能な釣り合いおもり４２０がそのときに、下向きに作用する重力に対抗して上向きに枢動させられる。図２３Ａおよび図２３Ｂから理解できるように、摺動要素４０２が外側のアクティブな防止位置にあるときは、釣り合いおもりは実質的に水平の位置に着座する。水平位置に着座するときは、釣り合いおもり４２０は、摺動要素に対して内向き方向に力を適用しない。このように、枢動可能な釣り合いおもりは、開始時にのみまたは不正確用量防止機構４００の移動中に力を適用することができる。枢動可能な釣り合いおもりは、不正確用量防止機構４００が防止位置にあるときに、内向きの力を供給しない。
【０１２５】
用量ディスク１０４の回転中に、用量ディスクは用量収集位置から用量投与位置に移動する。用量ディスク１０４の用量投与位置は、不正確用量防止機構の外側のアクティブな防止位置に相当する。
【０１２６】
不正確用量防止機構４００を外側のアクティブな防止位置から内側のアクティブでない非防止位置に移動する一手法は、乾燥粉末薬剤吸入器１００の出口１０２における吸入によるものとすることができる。これを吸入によるリセットと呼ぶことができる。
【０１２７】
吸入によるリセットのために、摺動要素４０２は、乾燥粉末薬剤吸入器における吸入が摺動要素４０２を外側のアクティブな防止位置から内側のアクティブでない非防止位置に移動できるように配置することができる。摺動要素は、上側近位貯蔵ハウジング１０３上の空気入口１１０に位置決めすることができる。これは、このように単回用量の薬剤が吸入された後に不正確用量防止機構をリセットできるので理想的である。
【０１２８】
図２１は、乾燥粉末薬剤吸入器の図、および吸入が摺動要素４０２をリセットできるような不正確用量防止機構の位置決めの１つを示す。空気出口１０２における吸入時には、概して低圧の領域が乾燥粉末薬剤吸入器１００の内側に形成される。低圧領域は、乾燥粉末薬剤吸入器１００の内側の領域と、乾燥粉末薬剤吸入器１００の外部の領域との間に圧力差をもたらし、乾燥粉末薬剤吸入器１００の内側の圧力は外部の圧力よりも低い。その圧力差は、空気入口１１０において、内向きの方向を有する、摺動要素４０２に対する力を生成することができる。このような内向きの力によって、摺動要素４０２を外側のアクティブな防止状態から内側のアクティブでない非防止状態に移動することができる。こうしたシステムによって、不正確用量防止機構は、単回用量の薬剤が吸入される後にリセットされる。
【０１２９】
図２１も、非常に目立つ色のバンド４４０を有する不正確用量防止機構を示す。バンドは、非常に目立つ印となる色に色づけすることができる。色つきバンド４４０は、摺動要素４０２の平坦な面４０６上に位置決めされる。図２１に示すように、摺動要素の外側領域の外周４４１は、非常に目立つ色つき領域を備えることができる。色つき領域は、摺動要素の面および／または周囲の領域に設けられる場合は、空気入口１１０ではビーム４４２によって、さらに、例えば摺動要素が外側位置にある第１の位置では空気入口１１０の縁部４４１によって、目立たなくなることがある。第２の位置では、色つき領域が視認できるように、摺動要素と、ビーム４４２および縁部４４１との間に仕切りが存在できる。このように、不正確用量防止機構は投薬表示部である。
【０１３０】
図２４から理解できるように、枢動可能な釣り合いおもり４２０は、乾燥粉末薬剤吸入器が上下逆さであっても、不正確用量防止機構の外方への移動を抑制する。図２４では、不正確用量防止機構は、乾燥粉末薬剤吸入器１００が上下逆さであるときに、枢動可能な釣り合いおもり４２０のための停止具４２２を形成する、上側ハウジング要素４２６を備えている。
【０１３１】
図１８および図１９は、不正確用量防止機構４００がロック機構４００である、乾燥粉末薬剤吸入器を示す。ロック機構４００は、投薬機構１０４、１０８を用量収集位置から用量投与位置に移動する際に機構４００がロック解除位置からロック位置に移動されて、ロック機構をリセットする前にさらに用量を計量することが防止されるように機能する。
【０１３２】
ロック機構４００は、用量計量貯蔵部１０９、１１０において新たな用量を計量する前にロック解除しなければならないので、用量計量貯蔵部１０９、１１０における不用意な複数回用量の計量を制限することができる。ロック機構は、新たな用量を計量する前に、以前に計量された用量の吸入を要求することによって、吸入器の意図的な誤用を制限することができる。
【０１３３】
ツイスタ１０５を捻回することによって、用量が計量されたどうかをユーザがより迅速に確認することが可能である。ツイスタ１０５が捻回可能である場合は、用量が計量されていない。ツイスタが捻回不能である場合は、用量が既に計量されている。このように、不正確用量防止機構は、用量計量貯蔵部１０９、１１０内に用量が存在しないのにユーザが吸引すること、したがって、薬剤を受け取らないことを防止することもできる。
【０１３４】
図１８に示すように、ロック機構４００は、用量表示部がロック機構であるときにロックディスク４０１と呼ぶことができる案内ディスクと、ラッチ４０２である摺動要素とを備える。ラッチ４０２は端部位置を２つ備える。外側ロック位置Ａおよび内側ロック解除位置Ｂ。
【０１３５】
ラッチ４０２は、表示部ラッチ４０２の突起４０３が、外側のアクティブな防止するロック位置Ａでは、ロックディスク４０１の平面を貫通でき、突起４０３がロックディスク４０１の１つまたは複数の部材に当接するように位置合わせできるように、ロックディスク４０１と関連付けられる。
【０１３６】
内側のアクティブでない、防止しない、ロック解除位置Ｂでは、ラッチ４０２の突起４０３はやはりロックディスク４０１の平面を貫通できるが、ロックディスク４０１を回転できるように、ロックディスク４０１の１つまたは複数の部材に当接しない。
【０１３７】
これを実現する一手法は、ラッチ４０２の突起４０３が、ロック位置Ａでは、ロックディスク４０１の周囲部材と位置合わせされ、ロック解除位置Ｂでは、表示部ラッチ４０２の突起４０３が、ロックディスク４０１を回転できるようにロックディスクの周囲部材との位置合わせを解消することである。例えば、周囲部材は、図１９Ｂに開示する縦向きの停止具４１５とすることもできる。
【０１３８】
複合型の表示部ラッチ４０２が位置Ａにあると、ロックディスク４０１は回転できず、したがって、用量ディスク１０４は回転できない。ラッチが位置Ｂにあると、ロックディスク４０１も用量ディスク１０４も回転することができる。
【０１３９】
不正確用量防止機構がロック機構であるときは、ロックディスク４０１はさらに外周ロック部材４１３を備える。外周ロック部材４１３は、ロックディスク４０１の周囲から延びる。外周ロック部材４１３は、ロックディスク４０１の平面に平行に延びるベース４１４と、ロックディスク４０１の平面に垂直に延びる縦向きの停止具４１５とを有する。縦向きの停止具４１５は実質的に縦向きに延びる。外周ロック部材４１３は、案内部材４１０よりもロックディスク４０１の中心から遠い距離に位置決めされる。外周ロック部材の寸法設定は、複合型の表示部ラッチ４０２の突起４０３が、ロックディスク４０１の回転４０３を停止するリミットとして働き、同じシャフトに固定できるときは用量ディスク１０４として働くことができるようになっている。
【０１４０】
上記で言及したように、不正確用量防止機構４００は表示機構とすることもでき、その表示機構によって、計量された用量の有無がユーザに表示される。例えば、表示機構は、用量が以前に計量された場合にユーザが視覚表示を受け取るような視覚表示部でよい。
【０１４１】
不正確用量防止機構は、測定された用量の視覚表示を提供すると共に投薬機構１０４、１０８の移動を制限する、複合型の表示ロック機構とすることもできる。
【０１４２】
図１〜図１６に関して上述したように、図１７〜図２４に記載する乾燥粉末薬剤吸入器１００の様々な部品を、熱可塑性物質など射出成形可能なプラスチックなど、適切な材料で製造してよい。
【０１４３】
本発明を特定の実施形態に関して上記で説明してきたが、本明細書に記載する特定の形態に限定するものではない。むしろ、本発明は、添付の請求項によってのみ限定される。
【０１４４】
請求項において、用語「備える（ｃｏｍｐｒｉｓｅｓ／ｃｏｍｐｒｉｓｉｎｇ）」は他の要素またはステップの存在を除外しない。さらに、個別に列挙したが、複数の手段、要素、または方法ステップは、例えば、単一のユニットまたはプロセッサによって実装することができる。加えて、異なる請求項に個々の特徴を含むことがあるが、これらは場合によっては有利に組み合わせることができ、異なる請求項に含むことは、特徴の組み合わせが実現可能でなくかつ／または有利でないことを意味しない。さらに、単数の言及は複数を除外しない。用語「ａ」、「ａｎ」、「第１（ｆｉｒｓｔ）」、「第２（ｓｅｃｏｎｄ）」などは、複数を排除しない。請求項の範囲の参照符号は、単に明確な例として提供され、決して特許請求の範囲の限定として解釈しないものとする。
【図１ａ】
2020163219.tif 000003
【図１ｂ】
2020163219.tif 000004
【図２ａ】
2020163219.tif 000005
【図２ｂ】
2020163219.tif 000006
【図３ａ】
2020163219.tif 000007
【図３ｂ】
2020163219.tif 000008
【図４】
2020163219.tif 000009
【図５】
2020163219.tif 000010
【図６ａ】
2020163219.tif 000011
【図６ｂ】
2020163219.tif 000012
【図７ａ】
2020163219.tif 000013
【図７ｂ】
2020163219.tif 000014
【図８ａ】
2020163219.tif 000015
【図８ｂ】
2020163219.tif 000016
【図９ａ】
2020163219.tif 000017
【図９ｂ】
2020163219.tif 000018
【図１０ａ】
2020163219.tif 000019
【図１０ｂ】
2020163219.tif 000020
【図１１ａ】
2020163219.tif 000021
【図１１ｂ】
2020163219.tif 000022
【図１２】
2020163219.tif 000023
【図１３ａ】
2020163219.tif 000024
【図１３ｂ】
2020163219.tif 000025
【図１４ａ】
2020163219.tif 000026
【図１４ｂ】
2020163219.tif 000027
【図１５ａ】
2020163219.tif 000028
【図１５ｂ】
2020163219.tif 000029
【図１６ａ】
2020163219.tif 000030
【図１６ｂ】
2020163219.tif 000031
【図１７ａ】
2020163219.tif 000032
【図１７ｂ】
2020163219.tif 000033
【図１８ａ】
2020163219.tif 000034
【図１８ｂ】
2020163219.tif 000035
【図１９ａ】
2020163219.tif 000036
【図１９ｂ】
2020163219.tif 000037
【図２０】
2020163219.tif 000038
【図２１】
2020163219.tif 000039
【図２２ａ】
2020163219.tif 000040
【図２２ｂ】
2020163219.tif 000041
【図２３ａ】
2020163219.tif 000042
【図２３ｂ】
2020163219.tif 000043
【図２４ａ】
2020163219.tif 000044
【図２４ｂ】
2020163219.tif 000045
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
乾燥粉末状の薬剤の吸入量を計量する乾燥粉末薬剤吸入器（１００）であって、
少なくとも１つの入口（１０１）および少なくとも１つの出口（１０２）であって、前記少なくとも１つの入口（１０１）と前記少なくとも１つの出口（１０２）との間の連絡部が、混合脱凝集チャンバ（１０６）、および前記少なくとも１つの入口（１０１）と前記チャンバ（１０６）との間の少なくとも１つの投薬連絡部（１０７）を少なくとも備える、前記少なくとも１つの入口（１０１）および前記少なくとも１つの出口（１０２）と、
前記入口（１０１）と前記チャンバ（１０６）との間に少なくとも１回用量の薬剤を配置して、前記連絡部（１０７）を通して前記出口（１０２）において吸入する際に前記少なくとも１回用量を送達できるようにする、投薬機構（１０４、１０８）と、
投薬表示部（３００）であって、前記投薬機構（１０４、１０８）を用量収集位置から用量投与位置に移動する際に、用量が吸入される準備ができていることを表示する、前記投薬表示部（３００）と、
を備え、
前記投薬表示部（３００）はさらに、２つの状態、用量が吸入される準備ができていることを表示する表示状態と、吸入される準備ができた用量がないことを表示する非表示状態とを有するように配置される視覚表示部（３０２）を備え、
前記視覚表示部（３０２）は回転ディスク（３０１）と関連付けて配置され、前記回転ディスク（３０１）は、用量ディスク（１０４）またはツイスタ（１０５）の回転が、前記回転ディスク（３０１）の回転を引き起こし、そうすることで、前記視覚表示部（３０２）が非表示位置から表示位置に移動されるように、前記用量ディスク（１０４）および前記ツイスタ（１０５）と関連付けられる、
乾燥粉末薬剤吸入器（１００）。
【請求項２】
前記視覚表示部（３０２）は、前記乾燥粉末吸入器（１００）における吸入が前記視覚表示部（３０２）を前記表示位置から前記非表示位置に移動させるように配置される、請求項１に記載の乾燥粉末薬剤吸入器（１００）。
【請求項３】
前記乾燥粉末薬剤吸入器はさらに、上側近位貯蔵ハウジング（１０３）を備え、前記視覚表示部（３０２）は、前記上側近位貯蔵ハウジング（１０３）上の空気入口（１１０）に位置決めされる、請求項１または請求項２に記載の乾燥粉末薬剤吸入器（１００）。
【請求項４】
前記空気出口（１０２）における吸入が、前記乾燥粉末吸入器（１００）の外側よりも低い圧力の領域を前記乾燥粉末吸入器（１００）の内側に形成し、前記圧力差は、前記視覚表示部（３０２）を前記表示位置から前記非表示位置に移動させるような力を、前記空気入口（１１０）において前記視覚表示部（３０２）に対して生成する、請求項１〜３のいずれか一項に記載の乾燥粉末薬剤吸入器（１００）。
【請求項５】
前記視覚表示部（３０２）はタブ（３０５）を備え、前記タブは、前記視覚表示部が表示位置にあるときに前記上側近位貯蔵ハウジング（１０３）の開口部を貫通する、請求項３または４のいずれか一項に記載の乾燥粉末薬剤吸入器（１００）。
【請求項６】
前記投薬表示部（３００）はさらにロック機構として働き、前記投薬機構（１０４、１０８）を用量収集位置から用量投与位置に移動する際に、複合型の表示ロック機構（３００）がロック解除非表示位置からロック表示位置に移動されて、前記ロック機構をリセットする前にさらに用量を計量することが防止される、請求項１〜５のいずれか一項に記載の乾燥粉末薬剤吸入器（１００）。
【請求項７】
前記複合型の表示ロック機構（３００）は、ロック時に前記複合型の表示ロック機構（３００）が前記投薬機構（１０４、１０８）の回転を制限するように、前記投薬機構（１０４、１０８）と関連付けて配置される、請求項６に記載の乾燥粉末吸入器。
【請求項８】
前記複合型の表示ロック機構（３００）はロックディスク（３０１）およびラッチ（３０２）を備え、前記ラッチ（３０２）は、ロック位置にある前記ラッチ（３０２）の突起（３０３）が、前記ロックディスク（３０１）の平面を貫通し、前記突起（３０３）が前記ロックディスク（３０１）の少なくとも１つの部材に当接するように位置合わせされるように、前記ロックディスク（３０１）と関連付けられる、請求項６または７に記載の乾燥粉末薬剤吸入器（１００）。
【請求項９】
乾燥粉末状の薬剤の吸入量を計量する乾燥粉末薬剤吸入器（１００）であって、
少なくとも１つの入口（１０１）および少なくとも１つの出口（１０２）であって、前記少なくとも１つの入口（１０１）と前記少なくとも１つの出口（１０２）との間の連絡部が、混合脱凝集チャンバ（１０６）、および前記少なくとも１つの入口（１０１）と前記チャンバ（１０６）との間の少なくとも１つの投薬連絡部（１０７）を少なくとも備える、前記少なくとも１つの入口（１０１）および前記少なくとも１つの出口（１０２）と、
前記入口（１０１）と前記チャンバ（１０６）との間に少なくとも１回用量の薬剤を配置して、前記連絡部（１０７）を通して前記出口（１０２）において吸入する際に前記少なくとも１回用量を送達できるようにする、投薬機構（１０４、１０８）と、
前記投薬機構（１０４、１０８）を用量収集位置から用量投与位置に移動する際に不正確用量防止機構（４００）が作動されるように、前記投薬機構と協働して配置される、前記不正確用量防止機構（４００）と、
枢動可能な釣り合いおもり（４２０）が前記不正確用量防止機構（４００）の作動を抑制するように、前記不正確用量防止機構（４００）と関連付けられる、前記枢動可能な釣り合いおもり（４２０）と、
を備える、乾燥粉末薬剤吸入器（１００）。
【請求項１０】
前記枢動可能な釣り合いおもり（４２０）は、前記釣り合いおもりの質量が前記不正確用量防止機構（４００）の外方への移動を抑制するように停止具（４２２）に対して作用するように、前記停止具（４２２）と関連付けられる、請求項９に記載の乾燥粉末薬剤吸入器（１００）。
【請求項１１】
前記不正確用量防止機構は摺動要素（４０２）を備え、前記摺動要素（４０２）は回転ディスク（４０１）と関連付けて配置され、前記回転ディスク（４０１）は、用量ディスク（１０４）またはツイスタ（１０５）の回転が前記回転ディスク（４０１）の回転を引き起こし、そうすることで、前記摺動要素（４０２）が作動して外方に移動されるように、前記用量ディスク（１０４）および前記ツイスタ（１０５）と関連付けられる、請求項９または請求項１０に記載の乾燥粉末薬剤吸入器（１００）。
【請求項１２】
前記枢動可能な釣り合いおもり（４２０）は軸（４２１）を中心に枢動し、前記軸は、前記摺動要素（４０２）の内側部分（４３１）に位置決めされる、請求項１１に記載の乾燥粉末薬剤吸入器。
【請求項１３】
前記枢動可能な釣り合いおもりは、前記軸（４２１）から前記乾燥粉末薬剤吸入器（１００）の長手方向軸に向かって、前記摺動要素（４０２）から延びる、請求項１２に記載の乾燥粉末薬剤吸入器。
【請求項１４】
前記枢動可能な釣り合いおもり（４２０）の寸法設定は、前記枢動可能な釣り合いおもり（４２０）の重心が前記枢支軸に対して遠位にあるようになっている、請求項１３に記載の乾燥粉末薬剤吸入器。
【請求項１５】
前記停止具（４２２）は、前記乾燥粉末薬剤吸入器（１００）の前記長手方向軸に関して傾斜する、請求項１０〜１４のいずれか一項に記載の乾燥粉末吸入器。
【請求項１６】
前記釣り合いおもり（４２０）は、前記不正確用量防止機構（４００）が外側位置にあるときに、内向きの力を供給しない、請求項９〜１５のいずれか一項に記載の乾燥粉末吸入器。
【請求項１７】
前記不正確用量防止機構（４００）は投薬表示部である、請求項９〜１６のいずれか一項に記載の乾燥粉末吸入器。
【請求項１８】
前記不正確用量防止機構（４００）はロック機構である、請求項９〜１７のいずれか一項に記載の乾燥粉末吸入器。
【請求項１９】
前記不正確用量防止機構（４００）はロック機構および投薬表示部である、請求項９〜１８のいずれか一項に記載の乾燥粉末吸入器。
【外国語明細書】
2020163219000001.pdf